(57)【要約】【課題】    竪樋控え金具を取付具に取りつける際、高所作業でも手間がかからないようにして取りつけることができるようにした、竪樋控え金具と取付具との接合構造を提供する。【解決手段】  竪樋等のパイプを抱持する把持部２、及びその把持部２から突出されるとともに孔４を備える取付部３、とから成る竪樋控え金具１と、後部に壁面等へ固定される固定部６を有し、前部に前記竪樋控え金具１の取付部３の孔４に挿通される突出部８を備えた取付片７を有する取付具５と、前記竪樋控え金具１の取付部３と前記取付具５の取付片７とを接合する接合具９と、から成る。【選択図】図１
2005330768.tif 000002
【特許請求の範囲】
【請求項１】
竪樋等のパイプを抱持する把持部、及びその把持部から突出されるとともに孔を備える取付部、とから成る竪樋控え金具と、
後部に壁面等へ固定される固定部を有し、前部に前記竪樋控え金具の取付部の孔に挿通される突出部を備えた取付片を有する取付具と、
前記竪樋控え金具の取付部と前記取付具の取付片とを接合する接合具と、
から成ることを特徴とする、竪樋控え金具と取付具との接合構造。
【請求項２】
前記突出部は雄ネジであり、接合具は該雄ネジに螺合する雌ネジであることを特徴とする、請求項１記載の竪樋控え金具と取付具との接合構造。
【発明の詳細な説明】
【技術分野】
【０００１】
本発明は、竪樋控え金具と取付具との接合構造に関する。
【背景技術】
【０００２】
従来、竪樋を壁面等に設置するための竪樋控え金具と取付具との接合構造にあっては、例えば特許文献１に開示のようなものが知られている。このものにあっては、壁面等に設置する取付具の形状は、壁面等へ固定する固定部と、固定部から前方へ突出するとともに孔を備えた取付片とから成る。一方竪樋控え金具は、竪樋を把持する把持部と、把持部の両端に屈曲するとともに貫通孔を有する屈曲部を備える。この竪樋控え金具と取付具との接合に関しては、竪樋控え金具の把持部により竪樋を把持した上で、竪樋控え金具の貫通孔と、取付具の取付片の孔とを、ネジ等の固定具により固定する。
【０００３】
しかし、竪樋控え金具を取付具に接合するにあたり、ネジ等の固定具により固定するまでは、竪樋控え金具が取付具に対して、竪樋控え金具を手で支えないと安定しないため、接合するのに手間がかかる。特に高所での作業では、この作業に手間がかかる。
【特許文献１】特開２００１−２６３５４０号公報
【発明の開示】
【発明が解決しようとする課題】
【０００４】
本願発明は、上記従来の背景技術に鑑みて発明されたものであり、その課題は、竪樋控え金具を取付具に取りつける際、高所作業であっても手間がかからないようにして取りつけることができるようにした、竪樋控え金具と取付具との接合構造を提供することである。
【課題を解決するための手段】
【０００５】
上記課題を解決するために、本願の請求項１記載の発明の竪樋控え金具と取付具との接合構造は、竪樋等のパイプを抱持する把持部、及びその把持部から突出されるとともに孔を備える取付部、とから成る竪樋控え金具と、後部に壁面等へ固定される固定部を有し、前部に前記竪樋控え金具の取付部の孔に挿通される突出部を備えた取付片を有する取付具と、前記竪樋控え金具の取付部と前記取付具の取付片とを接合する接合具と、から成ることを特徴とする。
【０００６】
また、本願の請求項２記載の発明は、請求項１記載の竪樋控え金具と取付具との接合構造において、前記突出部は雄ネジであり、接合具は該雄ネジに螺合する雌ネジであることを特徴とする。
【発明の効果】
【０００７】
本願の請求項１記載の発明の竪樋控え金具と取付具との接合構造では、把持部が竪樋等のパイプを把持するとともに、竪樋控え金具の取付部の孔に、取付具の取付片の突出部が挿入される。故に、竪樋控え金具は突出部により引っかかるため、手で竪樋控え金具を支えなくとも、竪樋控え金具が取付具から落ちることは抑制される。従って、高所作業であっても、接合具により接合するに際し、手間無く接合することができる。
【０００８】
本願の請求項２記載の発明の竪樋控え金具と取付具との接合構造は、突出部が雄ネジであるため、その雄ネジを、竪樋控え金具の取付部の孔に挿入し、接合具である雌ネジを螺合することによって、竪樋控え金具は取付具に接合される。
【発明を実施するための最良の形態】
【０００９】
本願の第１の実施形態における竪樋控え金具と取付具との接合構造について説明する。
【００１０】
竪樋控え金具１にあっては、竪樋（図示せず）の胴部を抱くように把持する把持部２と、その把持部２の両端から後方に折曲して突出する取付部３と、から成る。そしてこの取付部３には、孔４が設けられている。
【００１１】
一方、竪樋控え金具１を取り付ける取付具５が、家屋の外壁に取りつけられる。その取付具５は、外壁に固定される固定部６と、固定部６から前方へ突出する取付片７と、から成る。そして、この取付片７には、雄ネジ８が左右両方向へ突出している（図１）。また、この雄ネジ８は、前後方向に複数本並設されている。
【００１２】
この取付具５の取付片７に存する複数本の雄ネジ８に、竪樋控え金具１の取付部３の孔４を合わせるように配置させる。こうすることにより、竪樋控え金具１は、取付具５に係止されるので、竪樋控え金具１から手を離しても落下することはない。
【００１３】
そして、その孔４を通した雄ネジ８にナット９で締め付ける。これにより、竪樋控え金具１を取付具５に取りつけることができる。
【００１４】
この取付具５の形状にあっては、図２に示すように、取付片７と固定部６が別々のものであって、取付片７の後端に存する雄ネジ１２が固定部６の雌ネジ１３に取り付けられるものであっても良い。この場合、前もって、家屋の外壁に固定部６を取り付けた後、固定部６の雌ネジ１３に取付片７の雄ネジ１２をねじ込んで取り付ける。そして、取付片７の両側に突出する雄ネジ８を、竪樋控え金具１の取付部３の孔４に挿通させることによって、竪樋控え金具１を取付片７に取り付ける。そして、ナット９を雄ネジ８に締めつけることにより、竪樋控え金具１は取付片７に係止される（図２）。
【００１５】
この取付具５の形状にあっては、図３に示すような形状であってもよい。即ち、その取付具５にあっては、外壁に固定される固定部６と、固定部６から前方へ突出する取付片７と、から成る。この取付片７の形状は、例えば上方から見ると、略Z字状に屈曲部１５を一部に備えており、そして前方へ突出した形状である。
【００１６】
この屈曲部１５によって、屈曲部１５より前方の面７ｂは、例えば屈曲部１５より後方の面７ａよりも左側に配置している。そしてこの場合、屈曲部１５より前方の面７ｂに雄ネジ８が右方向に向かって突設している。
【００１７】
一方この屈曲部１５より前方の面７ｂが、屈曲部１５より後方の面７ａよりも右側に配置している場合では、屈曲部１５より前方の面７ｂに配置の雄ネジ８は左方向に向かって突設している。
【００１８】
この取付具５に竪樋控え金具１をとりつける。取り付け方法は前述と同様に、雄ネジ８を竪樋控え金具１の孔４に挿通し、ナット９により固定する。このとき、竪樋控え金具１の取付部３の後端３ａが、取付具５の屈曲部１５の前面に当設する（図４）。この取付部３の後端３ａが屈曲部１５の前面に当設することにより、ナット９で固定するまでにおいても、竪樋控え金具１の支持が安定する。
【図面の簡単な説明】
【００１９】
【図１】本願発明の第１の実施形態である竪樋控え金具と取付具との接合構造における第１実施例であって、（ａ）は竪樋控え金具の取付具への取付方法を示す説明図であり、（ｂ）は竪樋控え金具が取付具へ取り付けた状態を示す斜視図である。
【図２】本願発明の第１の実施形態である竪樋控え金具と取付具との接合構造における第２実施例であって、（ａ）は竪樋控え金具の取付具への取付方法を示す説明図であり、（ｂ）は竪樋控え金具が取付具へ取り付けた状態を示す斜視図である。
【図３】本願発明の第１の実施形態である竪樋控え金具と取付具との接合構造における第３実施例であって、（ａ）は竪樋控え金具の取付具への取付方法を示す説明図であり、（ｂ）は竪樋控え金具が取付具へ取り付けた状態を示す斜視図である。
【図４】本願発明の第１の実施形態である竪樋控え金具と取付具との接合構造における第３実施例において、上方から見た平面図である。
【符号の説明】
【００２０】
１    竪樋控え金具
２    把持部
３    取付部
４    孔
５    取付具
６    固定部
７    取付片
８    突出部（雄ネジ）
９    接合具（雌ネジ）
【図１】
2005330768.tif 000003
【図２】
2005330768.tif 000004
【図３】
2005330768.tif 000005
【図４】
2005330768.tif 000006